(57)【要約】【課題】法面の勾配に合わせてブロックを吊り上げた状態のまま敷設できて、施工効率を向上できる安価な吊り具を提供する。【解決手段】クレーンで吊り上げられる吊りフレーム１を、Ｈ形鋼２・３を十字状に組み付けて形成し、その吊りフレーム１の十字状の先端四箇所に、法面ブロックＢを敷設する法面の勾配に対応した長さで吊りワイヤー１１・１２・１３を吊り下げてなる法面ブロック用吊り具。具体的には、吊りワイヤー１１・１２・１３は、法面ブロックＢの周囲四面に突出した吊り部ＲにシャックルＳを介して掛けられる。【選択図】図２
2011190665.tif 000002
【特許請求の範囲】
【請求項１】
クレーンで吊り上げられる吊りフレームを、Ｈ形鋼を十字状に組み付けて形成し、
その吊りフレームの十字状の先端四箇所に、法面ブロックを敷設する法面の勾配に対応した長さで吊りワイヤーを吊り下げてなることを特徴とする法面ブロック用吊り具。
【請求項２】
前記吊りワイヤーは、前記法面ブロックの周囲四面に突出した吊り部にシャックルを介して掛けられることを特徴とする請求項１に記載の法面ブロック用吊り具。
【発明の詳細な説明】
【技術分野】
【０００１】
本発明は、法面に敷設する法面ブロック用の吊り具に関する。
【背景技術】
【０００２】
法面に敷設する法面ブロック用の吊り具として、特許文献１や特許文献２に提案されるものがある。
【０００３】
特許文献１の吊り具は、ブロックの側面の挿通孔に差込まれる差込み部材を内面に備える長尺な本体と、その本体の上面に立設され、吊上げワイヤーが掛止される左右一対の第１支柱と、その第１支柱に対し回動自在に支持される第１回動部材と、その第１回動部材の先端に水平支持されるブロック支持バーと、本体の上面に立設され、第２回動部材を回動自在に支持する第２支柱と、第２回動部材の先端に設けられ、ブロック支持バーのロック用穴に挿入可能なロックピンとを具備する構成である。
【０００４】
特許文献２の吊り具は、ブロックの上面の凹または凸の形状に密着するベースプレートを下部に設け、その上方にクランク形アームとこれに回動自在にピン結合されたＬ字形アームが設けられた２段アーム構成になっていて、ベースプレート上に揺動自在にピン接合され、上方に立ち上がった揺動リンクの先端にピンが設けられている。そして、Ｌ字形アームの上部に平行して設けられたリンク状プレートの下辺に半円形切欠き列が設けられていて、揺動リンク先端のピンが半円切欠きのいずれかと揺動自在に結合している。また、クランク形アームの下方に下がった先端部に取り付けられたリンクが、ブロック側面に接する。
【先行技術文献】
【特許文献】
【０００５】
【特許文献１】特開２００８−２２２４１１号公報
【特許文献２】特開平８−１１９５７０号公報
【発明の概要】
【発明が解決しようとする課題】
【０００６】
しかし、特許文献１や特許文献２のように従来の吊り具は、部品点数が多く構成が複雑で高価になるにも拘わらず、法面の勾配に合わせてブロックを吊り上げた状態のまま敷設することは不可能であった。
【０００７】
本発明の課題は、法面の勾配に合わせてブロックを吊り上げた状態のまま敷設できて、施工効率を向上できる安価な吊り具を提供することである。
【課題を解決するための手段】
【０００８】
以上の課題を解決するため、請求項１に記載の発明は、クレーンで吊り上げられる吊りフレームを、Ｈ形鋼を十字状に組み付けて形成し、その吊りフレームの十字状の先端四箇所に、法面ブロックを敷設する法面の勾配に対応した長さで吊りワイヤーを吊り下げてなる法面ブロック用吊り具を特徴とする。
【０００９】
請求項２に記載の発明は、請求項１に記載の法面ブロック用吊り具であって、前記吊りワイヤーは、前記法面ブロックの周囲四面に突出した吊り部にシャックルを介して掛けられることを特徴とする。
【発明の効果】
【００１０】
本発明によれば、法面の勾配に合わせて法面ブロックを吊り上げた状態のまま敷設できて、施工効率を向上することができ、しかも、安価に法面ブロック用吊り具を提供することができる。
【図面の簡単な説明】
【００１１】
【図１】本発明を適用した法面ブロック用吊り具の一実施形態の構成を示すもので、法面ブロックを吊り上げて法面に敷設する作業を見上げる位置で示した斜視図である。
【図２】吊り上げ状態の法面ブロック用吊り具及び法面ブロックの側面図である。
【図３】吊りフレームの平面図である。
【発明を実施するための形態】
【００１２】
以下、図を参照して本発明を実施するための形態を詳細に説明する。
図１は本発明を適用した法面ブロック用吊り具の一実施形態の構成として法面ブロックＢを吊り上げて法面Ｇに敷設する作業を見上げる位置で示したもので、図中、１は吊りフレーム、１１・１２・１３は吊りワイヤー、Ｆはクレーンのフック、Ｗは玉掛けワイヤー、Ｘは横梁ブロック、Ｙは縦梁ブロックである。
【００１３】
図示のように、法面Ｇには、法面ブロックＢの敷設に先立って横梁ブロックＸ及び縦梁ブロックＹが敷設されている。なお、法面ブロックＢの周囲四面中央の四箇所には、吊り部としてのリングＲがそれぞれ突出して備えられている。
【００１４】
そして、法面ブロック用吊り具は、法面ブロックＢの縦横の大きさにほぼ対応した十字状の吊りフレーム１と四本の吊りワイヤー１１・１２・１３とから構成される。十字状の吊りフレーム１は、図略のクレーンのフックＦに二本の玉掛けワイヤーＷを介して吊り下げられる。
【００１５】
吊りフレーム１は、図２及び図３に示すように、Ｈ形鋼２・３を十字状に組み付けて溶接により一体化して、その上下面の中央部に十字状の補強板４をそれぞれ重ねて溶接したものである。この吊りフレーム１の十字状の一直線上に対向して位置する先端上面の二箇所に、プレートによる吊り部６を溶接により一体化して備える。この上面二箇所の吊り部６には、シャックルＳをそれぞれ接続しておく。
【００１６】
また、吊りフレーム１の十字状の先端下面の四箇所に、プレートによる吊り部７を溶接により一体化して備える。この下面四箇所の吊り部７には、シャックルＳを介して、玉掛けワイヤーによる吊りワイヤー１１・１２・１３がそれぞれ接続されている。
【００１７】
ここで、四本の吊りワイヤー１１・１２・１３は、法面ブロックＢを敷設する法面Ｇの勾配に対応して予め、吊りワイヤー１１を最も短く調節し、その一直線上に対向して位置する吊りワイヤー１３を最も長く調節して、それらと直交方向で一直線上に対向して位置する吊りワイヤー１２を中間の長さに調節しておく。
【００１８】
このように、吊りフレーム１の十字状の先端下面にそれぞれ吊り下げた四本の玉掛けワイヤーによる吊りワイヤー１１・１２・１３の下端部には、シャックルＳをそれぞれ接続しておく。
【００１９】
以上の構成による法面ブロック用吊り具の吊りフレーム１の十字状の一直線上に対向して位置する先端上面の二箇所の吊り部６のシャックルＳに、クレーンのフックＦに吊り下げられた二本の玉掛けワイヤーＷの下端部をそれぞれ接続する。
【００２０】
そして、吊りフレーム１の十字状の先端下面にそれぞれ吊り下げた四本の玉掛けワイヤーによる吊りワイヤー１１・１２・１３の下端部のシャックルＳを、法面ブロックＢの周囲四面中央のリングＲにそれぞれ接続する。
【００２１】
その後、クレーンによる吊り上げ運転を行うと、図２に示したように、法面ブロックＢは、敷設する法面Ｇの勾配に対応して傾斜した姿勢で吊り上げられた状態になる。
【００２２】
従って、図１に示したように、敷設する法面Ｇの勾配に対応して傾斜した姿勢で法面ブロックＢを吊り上げた状態のまま敷設できて、施工効率を向上することができる。
しかも、Ｈ形鋼２・３を十字状に組み付けて溶接した吊りフレーム１に、市販品の四本の玉掛けワイヤーによる吊りワイヤー１１・１２・１３とシャックルＳを組み付ける構成なので、法面ブロック用吊り具を安価に提供することができる。
【００２３】
なお、以上の実施形態の他、各部の形状など具体的な細部構造等についても適宜に変更可能であることは勿論である。
【符号の説明】
【００２４】
１  吊りフレーム
２  Ｈ形鋼
３  Ｈ形鋼
４  補強板
６  吊り部
７  吊り部
１１  吊りワイヤー
１２  吊りワイヤー
１３  吊りワイヤー
Ｂ  法面ブロック
Ｇ  法面
Ｆ  クレーンのフック
Ｒ  吊り部
Ｓ  シャックル
Ｗ  玉掛けワイヤー
Ｘ  横梁ブロック
Ｙ  縦梁ブロック
【図１】
2011190665.tif 000003
【図２】
2011190665.tif 000004
【図３】
2011190665.tif 000005